(57)【要約】【課題】受信性能の劣化を低減すること。【解決手段】複数のサブキャリアブロックが配置されたタイムスロットに端末装置２０を割り当てる基地局装置１０は、まず、端末装置との間の信号の強度を取得する。つぎに、複数のグループのうち、取得した強度に対応するグループを特定する。ここで、複数のグループは、取得される強度の値の範囲がそれぞれ異なるように規定されている。また、グループごとに、割り当てるべきタイムスロットが規定されている。ここで、特定されたグループに対応したタイムスロットを選択し、選択されたタイムスロットに含まれる複数のサブキャリアのうち、端末装置２０に割り当てるべきサブキャリアを選択する。【選択図】図１
2008060743.tif 000002
【特許請求の範囲】
【請求項１】
複数のサブキャリアが配置されたタイムスロットに端末装置を割り当てる無線装置であって、
端末装置との間の信号の強度を取得する取得部と、
前記取得部によって取得される強度に対し、強度の値の範囲がそれぞれ異なるように複数のグループが予め規定されており、前記複数のグループのうち、前記取得部によって取得された強度が含まれるグループを特定するグループ特定部と、
前記グループ特定部での特定の対象となる複数のグループのそれぞれに対し、割り当てるべきタイムスロットが予め規定されており、前記グループ特定部によって特定されたグループに対応したタイムスロットを選択するスロット選択部と、
前記スロット選択部によって選択されたタイムスロットに含まれる複数のサブキャリアのうち、前記端末装置に割り当てるべきサブキャリアを選択するサブキャリア選択部と、
前記スロット選択部によって選択されたタイムスロットと、前記サブキャリア選択部によって選択されたサブキャリアとを用いて、前記端末装置との間で通信を実行する通信実行部と、
を備えることを特徴とする無線装置。
【請求項２】
前記スロット選択部によって選択されたタイムスロットに含まれる複数のサブキャリアのすべてが、すでに他の端末装置に割り当てられている場合、当該端末装置に対し、送信電力の低減を指示する指示部をさらに備え、
前記スロット選択部は、当該端末装置に新たに割り当てるタイムスロットとして、低減された電力に応じた強度を含んだグループに対応するタイムスロットを選択することを特徴とする請求項１に記載の無線装置。
【請求項３】
他の無線装置に対して報知された制御チャネルの強度を各タイムスロットについて測定し、所定のしきい値を超えた個数をタイムスロットごとに検出する検出部と、
前記検出部によって検出された結果、相対的に少ない個数が検出されたタイムスロットに、当該無線装置に対する制御チャネルを割り当てる制御チャネル割当部と、
をさらに備え、
前記スロット選択部での選択の対象となる複数のタイムスロットは、フレームに属し、かつ、フレームは繰り返し配置され、
前記スロット選択部は、前記制御チャネル割当部によって制御チャネルが割り当てられたタイムスロットが属するフレームと異なるフレームのうち、前記制御チャネルが割り当てられたタイムスロットとフレーム内での相対的なタイミングが対応したタイムスロットに、前記複数のグループのうちの相対的に低い強度が含まれるグループが割り当てられるように、グループとタイムスロットとの関係を規定することを特徴とする請求項１または２に記載の無線装置。
【請求項４】
前記スロット選択部は、前記複数のグループのうちの相対的に低い強度を含むグループに対応した特定タイムスロットと、他の無線装置において設定された特定タイムスロットとが重複しないように、グループとタイムスロットとの関係を規定することを特徴とする請求項１から３のいずれかに記載の無線装置。
【請求項５】
前記スロット選択部は、他の無線装置での制御チャネルが割り当てられたタイムスロットと重複しないように、前記複数のグループのうちの相対的に低い強度を含むグループに対応するタイムスロットを規定することを特徴とする請求項１から３のいずれかに記載の無線装置。
【請求項６】
複数のサブキャリアが配置されたタイムスロットに端末装置を割り当てて、前記端末装置との間で通信を実行する通信方法であって、
端末装置との間の信号の強度を取得するステップと、
取得される強度に対し、強度の値の範囲がそれぞれ異なるように複数のグループが予め規定されており、前記複数のグループのうち、前記取得するステップによって取得された強度が含まれるグループを特定するステップと、
前記特定するステップにおいて特定の対象となる複数のグループのそれぞれに対し、割り当てるべきタイムスロットが予め規定されており、前記特定するステップによって特定されたグループに対応したタイムスロットを選択するステップと、
前記タイムスロットを選択するステップによって選択されたタイムスロットに含まれる複数のサブキャリアのうち、前記端末装置に割り当てるべきサブキャリアを選択するステップと、
前記タイムスロットを選択するステップによって選択されたタイムスロットと、前記サブキャリアを選択するステップによって選択されたサブキャリアとを用いて、前記端末装置との間で通信を実行するステップと、
を含むことを特徴とする通信方法。
【請求項７】
複数のサブキャリアが配置されたタイムスロットに端末装置を割り当てて、前記端末装置との間で通信を実行するプログラムであって、
端末装置との間の信号の強度を取得するステップと、
取得される強度に対し、強度の値の範囲がそれぞれ異なるように複数のグループが予め規定されており、前記複数のグループのうち、前記取得するステップによって取得された強度が含まれるグループを特定するステップと、
前記特定するステップにおいて特定の対象となる複数のグループのそれぞれに対し、割り当てるべきタイムスロットが予め規定されており、前記特定するステップによって特定されたグループに対応したタイムスロットを選択するステップと、
前記タイムスロットを選択するステップによって選択されたタイムスロットに含まれる複数のサブキャリアのうち、前記端末装置に割り当てるべきサブキャリアを選択するステップと、
前記タイムスロットを選択するステップによって選択されたタイムスロットと、前記サブキャリアを選択するステップによって選択されたサブキャリアとを用いて、前記端末装置との間で通信を実行するステップと、
をコンピュータに実行させるプログラム。
【発明の詳細な説明】
【技術分野】
【０００１】
本発明は、無線通信技術に関し、特に端末装置との間で無線通信を実行するための通信方法およびそれを利用した無線装置に関する。
【背景技術】
【０００２】
一般的に、ワイヤレス通信においては、限りある周波数資源の有効利用が望まれている。特に、携帯電話や第二世代コードレス電話システムの普及に伴い、その要請はさらに高まっている。この要請に応えるための技術のひとつが、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式である。ＯＦＤＭＡとは、端末装置からの送信信号をそれぞれを直交する周波数帯域に割り当てることによって、同一タイミングにおいて、基地局装置と複数の端末装置との間で通信を実行する技術である。一般的に、ＯＦＤＭＡにおいては、それぞれの周波数帯に複数の端末装置を割り当てるためのスケジューリング処理が必要となる。従来、複数の周波数帯のうち、信号対雑音比の高い周波数帯に端末装置を割り当てていた（例えば、特許文献１参照。）。また、受信電力が近い端末装置同士をグループ化し、グループごとに周波数帯を割り当てていた（例えば、非特許文献１参照）
【特許文献１】特表２００５−５０２２１８号公報
【非特許文献１】馬場崇、他３名、「ＯＦＤＭＡ／ＴＤＤシステムにおけるグループ制御型周波数領域スケジューリングに関する検討」、信学技報、ＲＣＳ２００５−２１２、Ｍａｒ．２００６、社団法人電子情報通信学会
【発明の開示】
【発明が解決しようとする課題】
【０００３】
一般的に、ＯＦＤＭＡにおいては、受信側において、同一のスロットに割り当てられた複数のサブキャリアからなる信号に対して、一括して、ＦＦＴ（Ｆａｓｔ  Ｆｏｕｒｉｅｒ  Ｔｒａｎｓｆｏｒｍ）処理やＡＧＣ（Ａｕｔｏｍａｔｉｃ  Ｇａｉｎ  Ｃｏｎｔｒｏｌ）処理などの復調処理が実行される。しかしながら、同一のスロットにおいて異なる端末装置が割り当てられ、一方の端末装置の受信電力が他方の端末装置の受信電力より極端に低い場合、復調処理、たとえば、ＡＧＣ処理の際に、高い受信電力を基準として振幅が調整されるため、低い受信電力となる端末装置の信号は十分なゲインが得られず、受信性能が劣化するといった課題があった。
【０００４】
本発明はこうした状況に鑑みてなされたものであり、その総括的な目的は、受信性能の劣化を低減するための通信方法およびそれを利用した無線装置を提供することにある。
【課題を解決するための手段】
【０００５】
上記課題を解決するために、本発明のある態様の無線装置は、複数のサブキャリアが配置されたタイムスロットに端末装置を割り当てる。この無線装置は、端末装置との間の信号の強度を取得する取得部と、取得部によって取得される強度に対し、強度の値の範囲がそれぞれ異なるように複数のグループが予め規定されており、複数のグループのうち、取得部によって取得された強度が含まれるグループを特定するグループ特定部と、グループ特定部での特定の対象となる複数のグループのそれぞれに対し、割り当てるべきタイムスロットが予め規定されており、グループ特定部によって特定されたグループに対応したタイムスロットを選択するスロット選択部と、スロット選択部によって選択されたタイムスロットに含まれる複数のサブキャリアのうち、端末装置に割り当てるべきサブキャリアを選択するサブキャリア選択部と、スロット選択部によって選択されたタイムスロットと、サブキャリア選択部によって選択されたサブキャリアとを用いて、端末装置との間で通信を実行する通信実行部と、を備える。
【０００６】
ここで、「複数のサブキャリアが配置されたタイムスロット」は、周波数分割多重されたタイムスロットを含み、複数のユーザが同時に使用できるタイムスロットを含む。また、「信号の強度」は、信号の送信電力、受信電力などを含み、また、電力対雑音比や電力対干渉比などを含む。また、「信号の強度を取得」は、受信した信号の強度を測定することを含み、また、端末装置において測定した受信電力に関する情報や、端末装置の送信電力に関する情報を取得することを含む。
【０００７】
この態様によると、信号の強度の値の範囲に応じて特定されたグループに応じて、割り当てるべきタイムスロットを選択することによって、同一のタイムスロットに割り当てられた複数の端末装置は同様の信号の強度を有し、互いの受信性能に影響を与えることが少ないため、受信性能の劣化を低減できる。
【０００８】
無線装置は、スロット選択部によって選択されたタイムスロットに含まれる複数のサブキャリアのすべてが、すでに他の端末装置に割り当てられている場合、当該端末装置に対し、送信電力の低減を指示する指示部をさらに備えてもよい。スロット選択部は、当該端末装置に新たに割り当てるタイムスロットとして、低減された電力に応じた強度を含んだグループに対応するタイムスロットを選択してもよい。
【０００９】
この態様によると、スロット選択部によって選択されたタイムスロットに含まれる複数のサブキャリアのすべてが、すでに他の端末装置に割り当てられている場合、当該端末装置に対し、送信電力の低減を指示し、低減された電力に応じた強度を含んだグループに対応するタイムスロットを選択することによって、受信性能の劣化が小さく、容易に通信を確立できる。
【００１０】
無線装置は、他の無線装置に対して報知された制御チャネルの強度を各タイムスロットについて測定し、所定のしきい値を超えた個数をタイムスロットごとに検出する検出部と、検出部によって検出された結果、相対的に少ない個数が検出されたタイムスロットに、当該無線装置に対する制御チャネルを割り当てる制御チャネル割当部と、をさらに備えてもよい。スロット選択部での選択の対象となる複数のタイムスロットは、フレームに属し、かつ、フレームは繰り返し配置される。スロット選択部は、制御チャネル割当部によって制御チャネルが割り当てられたタイムスロットが属するフレームと異なるフレームのうち、制御チャネルが割り当てられたタイムスロットとフレーム内での相対的なタイミングが対応したタイムスロットに、複数のグループのうちの相対的に低い強度が含まれるグループが割り当てられるように、グループとタイムスロットとの関係を規定してもよい。
【００１１】
ここで、「複数のタイムスロットは、フレームに属し、かつ、フレームは繰り返し配置され」は、１フレームは複数のタイムスロットから構成されることを含み、また、複数のタイムスロットは、いずれのフレームにも配置されることを含む。また、「フレーム内での相対的なタイミングが対応したタイムスロット」は、フレームの先頭から、フレーム内に配置された所定のタイムスロットの先頭までの時間間隔が同一であるタイムスロットを含む。
【００１２】
この態様によると、制御チャネルが割り当てられ、他の無線装置からの信号の強度が低いタイムスロットと同様のタイムスロットを端末装置に割り当てるため、受信性能の劣化を低減できる。
【００１３】
スロット選択部は、複数のグループのうちの相対的に低い強度を含むグループに対応した特定タイムスロットと、他の無線装置において設定された特定タイムスロットとが重複しないように、グループとタイムスロットとの関係を規定してもよい。この場合、当該無線装置における特定タイムスロットを他の無線装置において設定された特定タイムスロットと重複しないように設定することによって、それぞれの無線装置におけるセルエッジ近傍の端末装置は、それぞれ重複しないタイムスロットを割り当てることができるため、互いの干渉による受信性能の劣化を低減できる。
【００１４】
スロット選択部は、他の無線装置での制御チャネルが割り当てられたタイムスロットと重複しないように、複数のグループのうちの相対的に低い強度を含むグループに対応するタイムスロットを規定してもよい。この場合、当該無線装置における相対的に低い強度を含むグループ割り当てるタイムスロットを、他の無線装置において制御チャネルが割り当てられた強度の低いグループに割り当てられるタイムスロットと重複しないように設定することによって、それぞれの無線装置におけるセルエッジ近傍の端末装置は、それぞれ重複しないタイムスロットを割り当てることができるため、互いの干渉による受信性能の劣化を低減できる。
【００１５】
本発明の別の態様は、複数のサブキャリアが配置されたタイムスロットに端末装置を割り当てて、端末装置との間で通信を実行する通信方法である。この通信方法は、端末装置との間の信号の強度を取得するステップと、取得される強度に対し、強度の値の範囲がそれぞれ異なるように複数のグループが予め規定されており、複数のグループのうち、取得するステップによって取得された強度が含まれるグループを特定するステップと、特定するステップにおいて特定の対象となる複数のグループのそれぞれに対し、割り当てるべきタイムスロットが予め規定されており、特定するステップによって特定されたグループに対応したタイムスロットを選択するステップと、タイムスロットを選択するステップによって選択されたタイムスロットに含まれる複数のサブキャリアのうち、端末装置に割り当てるべきサブキャリアを選択するステップと、スロットを選択するステップによって選択されたタイムスロットと、サブキャリアを選択するステップによって選択されたサブキャリアとを用いて、端末装置との間で通信を実行するステップと、を含む。
【００１６】
本発明のさらに別の態様は、複数のサブキャリアが配置されたタイムスロットに端末装置を割り当てて、端末装置との間で通信を実行するプログラムであって、コンピュータに実行させるためのプログラムである。このプログラムは、端末装置との間の信号の強度を取得するステップと、取得される強度に対し、強度の値の範囲がそれぞれ異なるように複数のグループが予め規定されており、複数のグループのうち、取得するステップによって取得された強度が含まれるグループを特定するステップと、特定するステップにおいて特定の対象となる複数のグループのそれぞれに対し、割り当てるべきタイムスロットが予め規定されており、特定するステップによって特定されたグループに対応したタイムスロットを選択するステップと、タイムスロットを選択するステップによって選択されたタイムスロットに含まれる複数のサブキャリアのうち、端末装置に割り当てるべきサブキャリアを選択するステップと、スロットを選択するステップによって選択されたタイムスロットと、サブキャリアを選択するステップによって選択されたサブキャリアとを用いて、端末装置との間で通信を実行するステップと、を含む。
【００１７】
このプログラムは、スロットを選択するステップによって選択されたタイムスロットに含まれる複数のサブキャリアのすべてが、すでに他の端末装置に割り当てられている場合、当該端末装置に対し、送信電力の低減を指示するステップをさらに含んでもよい。スロットを選択するステップは、当該端末装置に新たに割り当てるタイムスロットとして、低減された電力に応じた強度を含んだグループに対応するタイムスロットを選択してもよい。
【００１８】
このプログラムは、他の無線装置に対して報知された制御チャネルの強度を各タイムスロットについて測定し、所定のしきい値を超えた個数をタイムスロットごとに検出するステップと、検出するステップによって検出された結果、相対的に少ない個数が検出されたタイムスロットに、当該無線装置に対する制御チャネルを割り当てるステップと、をさらに含んでもよい。スロットを選択するステップでの選択の対象となる複数のタイムスロットは、フレームに属し、かつ、フレームは繰り返し配置される。スロットを選択するステップは、割り当てるステップによって制御チャネルが割り当てられたタイムスロットが属するフレームと異なるフレームであって、かつ、制御チャネルが割り当てられたタイムスロットとフレーム内での相対的なタイミングが対応したタイムスロットに、複数のグループのうちの相対的に低い強度が含まれるグループが割り当てられるように、グループとタイムスロットとの関係を規定してもよい。
【００１９】
スロットを選択するステップは、複数のグループのうちの相対的に低い強度を含むグループに対応した特定タイムスロットと、他の無線装置において設定された特定タイムスロットとが異なるように、グループとタイムスロットとの関係を規定してもよい。
【００２０】
スロットを選択するステップは、他の無線装置に対する制御チャネルが割り当てられたタイムスロットと異なるように、複数のグループのうちの相対的に低い強度を含むグループに対応するタイムスロットを規定してもよい。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、受信性能の劣化を低減できる。
【発明を実施するための最良の形態】
【００２３】
本発明を具体的に説明する前に、まず概要を述べる。本発明の実施形態は、通信システムに関する。この通信システムは、次世代のコードレス電話システムに好適である。次世代のコードレス電話システムは、高速通信を実現できるシステムが望まれており、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式やＴＤＭＡ（Ｔｉｍｅ  Ｄｉｖｉｓｉｏｎ  Ｍｕｌｔｉｐｌｅ  Ａｃｃｅｓｓ）方式が組み合わされて適用される。ＦＤＭＡ方式は、複数の端末装置にそれぞれ異なる周波数帯域を割り当てて使用させる方式である。ＴＤＭＡ方式は、タイムスロットごとに、端末装置を割り当てて使用させる方式である。なお、以下においては、ＦＤＭＡ方式として、ＯＦＤＭＡ方式を用いる場合について説明する。ＯＦＤＭＡ方式とは、複数の端末装置２０の間で、それぞれの周波数信号を直交させることによって、より多くの端末装置を収容できる方式である。ＯＦＤＭＡ方式とＴＤＭＡ方式を組み合わせることによって、１つのタイムスロットに複数の端末装置を割り当てることができるため、より多くの端末装置を割り当てることができる。また、上り送信と下り送信は、ＴＤＤ（Ｔｉｍｅ  Ｄｉｖｉｓｉｏｎ  Ｄｕｐｌｅｘ）方式により分離されている。ＴＤＤ方式とは、同一の周波数帯域が用いられ、かつ、異なるタイムスロットが用いられる方式である。以下においては、説明の便宜上、上り送信についてのみ説明する。なお、本実施形態において、上り送信と下り送信は対称であるため、下り送信については説明を省略する。
【００２４】
本実施形態においては、端末装置からの信号の強度に応じて、割り当てるべきタイムスロットを選択する。選択の対象となるタイムスロットにおいては、あらかじめ、割り当てるべき端末装置に求められる信号の強度の範囲が規定されている。したがって、１つのタイムスロットに割り当てられる複数の端末装置のそれぞれは、規定された範囲内における信号の強度を有する。そうすると、同一のタイムスロット間において、信号の強度の差が小さくなり、復調時において、いずれかの端末装置の信号が他の端末装置の信号に影響されることがなく、受信性能の劣化を低減できることとなる。詳細は後述する。
【００２５】
図１は、本発明の実施形態に係る通信システム１００の構成例を示す図である。通信システム１００は、基地局装置１０と、端末装置２０で代表される第１端末装置２０ａと第２端末装置２０ｂと第３端末装置２０ｃとを含む。なお、説明の便宜上、３台の端末装置２０を図示したが、２台以下、もしくは、４台以上の端末装置２０が存在してもよい。
【００２６】
図２は、図１の通信システム１００におけるサブキャリアブロックの割当例を示す図である。通信システム１００には、１０ＭＨｚの幅を有し、複数のサブキャリアブロック２００を含む周波数帯２１０が用いられる。周波数帯２１０は、Ｎ個のサブキャリアブロック、すなわち、第１サブキャリアブロック２００ａ〜第ｎサブキャリアブロック２００ｎを含む。サブキャリアブロック２００は、第１サブキャリアブロック２００ａ〜第ｎサブキャリアブロック２００ｎを代表するものとする。それぞれのサブキャリアブロック２００は、Ｍ個のサブキャリアを含む。したがって、周波数帯２１０は、Ｎ×Ｍ個のサブキャリアを含むこととなる。なお、以下においては、説明の便宜上、Ｎ、Ｍを２以上の整数として説明する。また、説明の便宜上、それぞれのサブキャリアブロック２００に含まれるサブキャリアの個数はＭとしたが、サブキャリアブロック２００は、それぞれ異なる個数のサブキャリアを含んでいてもよい。
【００２７】
基地局装置１０は、通信を実行する複数の端末装置２０のそれぞれに対し、１つのサブキャリアブロック２００を単位として、それぞれ異なるサブキャリアブロック２００を割り当てる。端末装置２０は、割り当てられたサブキャリアブロック２００を用いて、基地局装置１０との間で、通信を実行する。基地局装置１０は、ＦＦＴ処理を実行することにより、複数の端末装置２０から送信された複数のサブキャリアブロック２００からなる信号をＮ×Ｍ個のサブキャリアに分離する。ここで、それぞれのサブキャリアは、いずれかのサブキャリアブロック２００に対応づけられているため、個々の端末装置２０からの信号が識別できることとなる。
【００２８】
第１チャネル割当例２２０は、サブキャリアブロック２００ごとに１台の端末装置２０を割り当てた場合を示す。すなわち、通信システム１００においては、最大Ｎ個の端末装置２０を割り当てることができる。第２チャネル割当例２３０は、２つの端末装置２０にそれぞれサブキャリアブロック２００を割当て、それぞれの端末装置２０に、異なる個数のサブキャリアブロック２００が割り当てられることを示している。第２チャネル割当例２３０は、帯域をあまり必要としない低速通信を要求する第１端末装置２０ａと、多くの帯域を必要とする高速通信を要求する第２端末装置２０ｂが同時に通信を実行するような場合に適用される。このように割り当てることによって、端末装置２０が要求するサービスの態様に柔軟に対応でき、システムリソースを最適に配分できる。第３チャネル割当例２４０は、１つの端末装置２０に全帯域を割当てた場合を示す。より高速な通信を要求する端末装置２０が存在し、その通信の際に、他の基地局装置１０からのチャネル割当要求がないような場合に、第３チャネル割当例２４０のように割り当てることによって、高速通信が可能となる。
【００２９】
以上のごとく、端末装置２０ごとに割り当てるサブキャリアブロック２００の数を調整することによって、端末装置２０と基地局装置１０との間の電波環境や要求されるサービス品質に応じた割当が可能となる。これにより、高速通信を可能にしつつ、システムリソースを最適化できる通信システム１００が実現できることとなる。なお、以下においては、説明の便宜上、第１チャネル割当例２２０に示した割り当て例にもとづいて説明を行なう。
【００３０】
図３（ａ）〜（ｅ）は、図１の通信システム１００におけるタイムスロットの割当例を示す図である。横軸は時間を示す。縦軸は、上り送信もしくは下り送信の別を示す。図３（ａ）〜（ｅ）において、１つのＴＤＭＡフレームの長さは、５ｍｓである。図３（ａ）〜（ｅ）のぞれぞれは、１ＴＤＭＡフレームあたりの上り送信用もしくは下り送信用のスロットの個数が異なることを示す。たとえば、図３（ａ）では、上り送信用として１スロットが割り当てられ、また、図３（ｂ）では、上り送信用として２スロットが割り当てられている。同様に、図３（ｃ）〜（ｅ）では、上り送信用として、４、８、１６スロットが割り当てられている。なお、下り送信は、上り送信と対称の構成をとるため、割り当てられるスロットの個数は上り送信と同一となる。以下においては、説明の便宜上、図３（ｃ）に示した割当例にもとづいて説明を行なう。
【００３１】
図１に戻る。端末装置２０は、通信を開始する際に、基地局装置１０に対してチャネル割当を要求する。チャネルの割当が許可された場合、端末装置２０は、基地局装置１０から割当に関する情報を取得する。割当に関する情報は、割り当てられるタイムスロットとサブキャリアブロック２００とを示す識別情報を含む。割当に関する情報を取得した後、端末装置２０は、基地局装置１０との間で通信を実行する。一方、チャネルの割当が許可されなかった場合、端末装置２０は、基地局装置１０から割当不許可に関する情報を取得する。
【００３２】
図４は、図１の基地局装置１０の構成例を示す図である。基地局装置１０は、受信部３０と、ベースバンド処理部３２と、送信部３４と、チャネル割当部４０と、メモリ５０とを含む。受信部３０は、割当要求を示す制御チャネルを端末装置２０から受信する。また、端末装置２０にタイムスロットおよびサブキャリアブロック２００が割り当てられた後、受信部３０は、データ通信に関する信号を端末装置２０から受信する。また、受信部３０は、受信した信号に対してＦＦＴ処理を実行することにより、所定のサブキャリアブロック２００を複数のサブキャリアブロック２００から分離し、ベースバンド処理部３２に送る。
【００３３】
ベースバンド処理部３２は、受信部３０によってＦＦＴ処理などが実行された信号に対して、所定の復調処理を実行し、また、誤り訂正復号処理などを実行する。また、ベースバンド処理部３２は、割り当ての諾否や割り当てるタイムスロットやサブキャリアブロック２００を示す識別情報などを含む信号を生成して、誤り訂正符号化処理や所定の変調処理などを経て、送信部３４に送信させる。送信部３４は、ベースバンド処理部３２によって符号化処理された信号に対し、ＩＦＦＴ（Ｉｎｖｅｒｓｅ  ＦＦＴ）処理などを実行した後、端末装置２０に送信する。
【００３４】
メモリ５０は、グループとタイムスロットとの関係を記憶し、また、グループごとに、信号強度の所要範囲を記憶する。図５は、図４のメモリ５０に記憶される割当テーブル３００の構成例を示す図である。割当テーブル３００は、グループ欄３１０と電力範囲欄３２０とスロット欄３３０とを含む。電力範囲欄３２０において、ＰＡ、ＰＢ、ＰＣ、ＰＤのそれぞれは、グループ欄３１０に示されるグループのそれぞれに対応したパラメータであって、信号強度Ｐの範囲の上限値または下限値を示すパラメータである。なお、それぞれの大きさの関係は、ＰＡ＜ＰＢ＜ＰＣ＜ＰＤとなる。また、ＰＡは、サブキャリアブロック２００を割り当てることができる信号強度の最小値が設定されてもよい。この場合、ＰＡより小さい信号強度を有する端末装置２０には、サブキャリアブロック２００は割り当てられない。サブキャリアブロック２００を割り当てることができる信号強度ＰＡより小さい信号強度を有する端末装置２０は、サブキャリアブロック２００を割り当てたとしても、正常に通信が実行できないためである。これにより、リソースを効率的に使用できる。
【００３５】
チャネル割当部４０は、端末装置２０ごとに、制御チャネルの信号強度を取得する。信号強度の取得は、制御チャネルの受信電力などを測定することによって取得される。つぎに、チャネル割当部４０は、取得された受信電力が、メモリ５０に記憶された電力範囲欄３２０のいずれの範囲に含まれるかを判定する。さらに、判定された範囲がメモリ５０に記憶されたグループ欄３１０に含まれる複数のグループのうちのいずれかのグループに属するかを特定する。チャネル割当部４０は、メモリ５０に記憶されたスロット欄３３０のうち、特定されたグループに対応するスロット欄３３０を割り当てるべきタイムスロットとして選択する。ここで、選択されたタイムスロットにおけるサブキャリアブロック２００が空いている場合であって、かつ、空いているサブキャリアブロック２００が使用可能な場合、選択されたタイムスロットに端末装置２０を割り当て、端末装置２０に割当に関する情報を送信する。なお、サブキャリアブロック２００が使用可能な場合とは、受信品質が良好な場合などを示す。
【００３６】
一方、選択されたタイムスロットにおけるサブキャリアブロック２００が空いていない場合、すなわち、選択されたタイムスロットに含まれる複数のサブキャリアブロック２００のすべてが、すでに他の端末装置２０に割り当てられている場合、チャネル割当部４０は、他に割り当てられるタイムスロットを検索したり、端末装置２０に送信電力を低減させることにより、再度、割当処理を試行する。試行の結果においても、割り当てるべきサブキャリアブロック２００が存在しない場合、チャネル割当部４０は、ベースバンド処理部３２と送信部３４を介して、端末装置２０に、割当不許可を示す信号を送信する。
【００３７】
ここで、信号強度Ｐとグループの関係について具体的に説明する。図６（ａ）〜（ｂ）は、図４のチャネル割当部４０の第１、第２の割当例を示す図である。横軸は、周波数を示す。縦軸は、信号強度を示す。双方の割当例は、同一のタイムスロットにおける第１サブキャリアブロック２００ａと第２サブキャリアブロック２００ｂに２つの端末装置２０を割り当てる場合を示している。図示するごとく、図６（ａ）においては、第１サブキャリアブロック２００ａに、信号強度Ｐｘを有する第１端末装置２０ａが割り当てられ、第２サブキャリアブロック２００ｂに、信号強度Ｐｙを有する第２端末装置２０ｂが割り当てられる。
【００３８】
前述したように、第１端末装置２０ａと第２端末装置２０ｂとから送信された信号は、受信部３０によりＦＦＴ処理が実行されて、サブキャリアブロックごとに分離される。しかしながら、ＰｘとＰｙの信号強度の差が大きい場合、いわゆる有限語長の問題により、小さいほうの信号が大きいほうの信号に埋もれてしまい、小さいほうの信号を正しく復調することができない場合がある。そうすると、小さいほうの信号を送信していた端末装置２０は、通信を実行することが困難となる。
【００３９】
そこで、本実施形態においては、図６（ｂ）に図示するように、１つのタイムスロットに割り当てられる端末装置２０の信号強度は、所定の範囲内のものに限定することとした。図示するごとく、図６（ｂ）においては、第１サブキャリアブロック２００ａに信号強度Ｐｘを有する第１端末装置２０ａが割り当てられ、第２サブキャリアブロック２００ｂに信号強度Ｐｙを有する第２端末装置２０ｂが割り当てられる。ここで、ＰｘとＰｙの双方は、所定の範囲の下限値であるＰ０より大きく、上限値であるＰ１よりも小さい。このように、１つのタイムスロット内に割り当てられる端末装置２０は、いずれもの所定の範囲内に収まるような信号強度を有するように割り当てることにより、ＡＧＣ処理にて十分なゲインが得られないことによる受信性能の劣化を回避し、すべてのサブキャリアブロック２００の信号を精度よく復調できることとなる。
【００４０】
ここで、所定の範囲の下限値と上限値は、図５の電力範囲欄３２０に図示されるごとく、グループごとに設定される。また、グループは、タイムスロットと対応づけられて規定される。図７は、図４のチャネル割当部４０の第３の割当例を示す図である。横軸は、時間を示す。縦軸は、信号強度を示す。第３の割当例は、図５のグループ欄３１０とスロット欄３３０に示す関係にしたがって、第１タイムスロット５１０〜第４タイムスロット５４０の４つのタイムスロットのそれぞれに、第１グループＡ〜第４グループＤが割り当てられることを示す。前述したように、第１タイムスロット５１０に割り当てられる第１グループＡにおいては、割り当てられる端末装置２０の信号強度の範囲として、下限値はＰＡ、上限値はＰＢとなる。同様に、第２グループＢ〜第４グループＤは、図５の電力範囲欄３２０に図示する上限値と下限値を有し、それぞれの範囲に含まれる信号強度を有する端末装置２０が第２タイムスロット５２０〜第４タイムスロット５４０に割り当てられる。
【００４１】
図８は、図４のチャネル割当部４０の構成例を示す図である。チャネル割当部４０は、測定部４２と、スロット割当部４４と、サブチャネル割当部４６とを含む。測定部４２は、端末装置２０ごとに、信号の強度を測定し、スロット割当部４４に通知する。スロット割当部４４は、メモリ５０にアクセスし、通知された信号の強度が含まれるグループを特定する。さらに、スロット割当部４４は、特定されたグループに対応したタイムスロットを選択する。サブチャネル割当部４６は、スロット割当部４４によって選択されたタイムスロットに含まれる複数のサブキャリアのうち、端末装置に割り当てるべきサブキャリアブロックを選択する。端末装置２０に割り当てるサブキャリアが存在する場合であって、かつ、そのサブキャリアが使用可能な場合、サブチャネル割当部４６は、選択したタイムスロットとサブキャリアブロックとを割当に関する情報に含め、端末装置２０に送信する。その後、基地局装置１０は、選択されたタイムスロットと、サブキャリアブロックとを用いて、端末装置との間で通信を実行する。
【００４２】
端末装置２０に割り当てるサブキャリアが存在しない場合、サブチャネル割当部４６は、スロット割当部４４に他のスロットを選択させる。選択させる他のスロットは、すでに選択されたスロットより下位のグループが設定されているスロットとなる。下位のグループとは、より小さい信号強度を含む範囲に対応したグループをいう。たとえば、図５のグループ欄３１０に示すグループのうち、すでに選択されたグループがＣである場合、再度選択させるタイムスロットにかかるグループは、グループＡかＢとなる。このような場合、スロット割当部４４は、まず、グループＣの下位のグループのうち、グループＣの信号強度の範囲に近い波にを有するグループＢについて、対応したタイムスロット２を選択する。ここで、サブチャネル割当部４６は、グループＢに対応するタイムスロット２に含まれる複数のサブキャリアブロックのいずれかのサブキャリアブロックに、端末装置２０を割り当てられるか否かを確かめる。
【００４３】
タイムスロット２のいずれかのサブキャリアブロックに割り当てられる場合、選択したタイムスロットとサブキャリアブロックとを割当に関する情報に含め、端末装置２０に送信する。さらに、サブチャネル割当部４６は、端末装置２０に対し、送信電力の低減を指示する。送信電力を低減させる量は、タイムスロット２に対応する信号強度の範囲、すなわち、図５の電力範囲欄３２０に示されるように、端末装置２０の信号強度がＰＣより小さくなるように決定される。
【００４４】
一方、タイムスロット２についても、端末装置２０に割り当てるサブキャリアブロックが存在しない場合、タイムスロット２よりも下位のグループに対応するタイムスロット１について、同様に、サブキャリアブロックを割り当てられるか否かを確かめる。ここで、タイムスロット１についても端末装置２０に割り当てられるサブキャリアブロックが存在しない場合、サブチャネル割当部４６は、割当を拒否する旨の信号を端末装置２０に送信する。このように、割り当てられるサブキャリアブロックが見つかるまで、下位のグループに対するタイムスロットを検索することによって、通信の安定性を向上できる。
【００４５】
上述したこれらの構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４６】
つぎに、動作について説明する。図９（ａ）〜（ｂ）は、図４のチャネル割当部４０の動作例を示すフローチャートである。この処理は、基地局装置１０が端末装置２０からの割り当て要求にかかる信号を受信したことを契機として、開始されてもよい。まず、チャネル割当部４０は、端末装置２０から送信された信号を測定して、信号強度を取得する（Ｓ３０）。つぎに、チャネル割当部４０は、メモリ５０にアクセスし、取得した信号強度に対応するタイムスロットを選択する（Ｓ３２）。
【００４７】
ここで、選択したタイムスロットに空きサブキャリアブロックが存在する場合（Ｓ３４のＹ）、そのサブキャリアブロックが使用可能か否かを調べるために、キャリアセンスを実行する（Ｓ３６）。キャリアセンスの結果、使用可能なサブキャリアブロックであった場合（Ｓ３８のＹ）、チャネル割当部４０は、割り当て処理を実行する（Ｓ４０）。さらに、チャネル割当部４０は、割当に関する情報を端末装置２０に通知し（Ｓ４２）、処理を終了する。
【００４８】
一方、選択したタイムスロットに空きサブキャリアブロックが存在しなかった場合（Ｓ３４のＮ）や、そのサブキャリアブロックが使用不可能であった場合（Ｓ３８のＮ）、図９（ｂ）に示すＳ４４以降の処理に移行する。チャネル割当部４０は、メモリ５０をアクセスし、選択したタイムスロットにかかるグループより下位のグループが存在するか否かを調べる。下位のグループが存在しない場合（Ｓ４４のＮ）、割当を拒否し（Ｓ５８）、割当拒否を示す信号を端末装置に通知する（Ｓ６０）。一方、下位のグループが存在する場合（Ｓ４４のＹ）、下位のグループにかかるタイムスロットを選択する（Ｓ４６）。
【００４９】
ここで、選択したタイムスロットに空きサブキャリアブロックが存在する場合（Ｓ４８のＹ）、そのサブキャリアブロックが使用可能か否かを調べるために、キャリアセンスを実行する（Ｓ５０）。キャリアセンスの結果、使用可能なサブキャリアブロックであった場合（Ｓ５２のＹ）、チャネル割当部４０は、割り当て処理を実行する（Ｓ５４）。さらに、チャネル割当部４０は、割当に関する情報と送信電力を低減する旨の信号とを端末装置２０に通知し（Ｓ５６）、処理を終了する。一方、選択したタイムスロットに空きサブキャリアブロックが存在しなかった場合（Ｓ４８のＮ）や、そのサブキャリアブロックが使用不可能であった場合（Ｓ５２のＮ）、Ｓ４４の処理に戻る。
【００５０】
本発明の実施形態によれば、信号の強度の値の範囲に応じて特定されたグループに応じて、割り当てるべきタイムスロットを選択することによって、同一のタイムスロットに割り当てられた複数の端末装置からの信号は互いに影響されることが少ないため、受信性能の劣化を低減できる。スロット選択部によって選択されたタイムスロットに含まれる複数のサブキャリアのすべてが、すでに他の端末装置に割り当てられている場合、当該端末装置に対し、送信電力の低減を指示し、低減された電力に応じた強度を含んだグループに対応するタイムスロットを選択することによって、受信性能の劣化を伴うことなく、容易に通信を確立できる。スロット選択部によって選択されたタイムスロットに含まれる複数のサブキャリアのすべてが、すでに他の端末装置に割り当てられている場合、当該端末装置に対し、送信電力の低減を指示し、低減された電力に応じた強度を含んだグループに対応するタイムスロットを選択することによって、受信性能の劣化を伴うことなく、容易に通信を確立できる。
【００５１】
次に、本発明の実施の形態の変形例を示す。まず概要を述べる。本変形例は、前述した実施形態と同様に通信システムに関する。本変形例における通信システムは、図１に示した構成例と同様の構成例をとる。また、基地局装置１０は、図４に示す構成例をとる。本発明の実施の形態の違いは、図８に示すチャネル割当部４０が、制御チャネル割当部をさらに含む点である。本変形例においては、図５のグループ欄３１０とスロット欄３３０の関係を設定することによって、基地局装置１０における受信性能をより向上させる。なお、前述した実施の形態と共通する部分については同一の符号を付して説明を簡略化する。
【００５２】
図１０は、本発明の実施形態の変形例にかかる通信システム４００の通信領域を模式的に示す図である。通信システム４００は、第１基地局装置１０ａと第２基地局装置１０ｂとを含む。なお、第１基地局装置１０ａと第２基地局装置１０ｂは、図２に図示するように、同一の周波数帯２１０を用いて、端末装置２０との間で通信を実行しているものとする。また、以下においては、上り通信について説明し、下り通信については、説明を省略する。
【００５３】
第１基地局装置１０ａは、周囲に、通信可能な領域として第１領域Ａ１〜第４領域Ｄ１を有し、それぞれの領域に所在する端末装置２０との間で通信を実行する。第１領域Ａ１は、第１基地局装置１０ａからもっとも離れた位置に所在し、第２領域Ｂ１、第３領域Ｃ１、第４領域Ｄ１の順で、第１基地局装置１０ａからの距離が短くなる。
【００５４】
一般的に、端末装置２０から送信した信号は、距離に応じて減衰する。したがって、基地局装置１０と端末装置２０との間の距離が遠いほど、基地局装置における受信電力が小さくなる。図１０においては、第１領域Ａ１に所在する端末装置２０からの受信電力がもっとも小さくなり、第２領域Ｂ１、第３領域Ｃ１、第４領域Ｄ１の順で、それぞれの領域に所在する端末装置２０からの信号の受信電力が大きくなる。同様に、第２基地局装置１０ｂは、第５領域Ａ２〜第８領域Ｄ２のそれぞれの領域に所在する端末装置２０との間で通信を実行する。また、第２基地局装置１０ｂにおいては、第５領域Ａ２に所在する端末装置２０からの受信電力がもっとも小さくなり、第６領域Ｂ２、第７領域Ｃ２、第８領域Ｄ２の順で、それぞの領域に所在する端末装置２０からの信号の受信電力が大きくなる。
【００５５】
ここで、図１０に図示するごとく、第１領域Ａ１と第５領域Ａ２とは隣接している。そうすると、双方の領域にそれぞれ所在する端末装置２０が同一のタイムスロットを使用している場合、受信電力の大きさが異なることによって、前述した実施形態と同様に、一方が他方の信号に埋もれてしまい、正しく復調できない場合がある。したがって、本変形例においては、基地局装置１０の外側の領域に割り当てられたタイムスロットを他の基地局装置１０における外側の領域に割り当てられたタイムスロットと異なるように設定する。
【００５６】
いいかえると、基地局装置１０における受信電力が低いグループに属する端末装置２０に割り当てるタイムスロット（以下、「特定タイムスロット」という。）は、他の基地局装置１０における特定タイムスロットと異なるように設定する。図１１（ａ）〜（ｂ）は、図１０にかかる通信システム４００におけるタイムスロットの割当例を示す図である。縦軸は受信電力、横軸は時間を示す。図１１（ａ）は第１基地局装置１０ａにおける割当例を示す。図１１（ｂ）は第２基地局装置１０ｂにおける割当例を示す。図示するごとく、第１領域Ａ１と第５領域Ａ２は、それぞれ異なるタイムスロットに割り当てられる。このように割り当てることによって、双方の基地局装置１０において、正確に基地局装置１０からの信号を復調できる。
【００５７】
本変形例においては、上述のようにグループとタイムスロットとの関係を設定するために、制御チャネルに割り当てたタイムスロットを特定タイムスロットとする。一般的に、報知すべき情報を含む制御チャネルは、すべての領域に所在する端末装置２０に通知する必要があるため、干渉の少ないタイムスロットに割り当てられて、通知される。干渉の少ないタイムスロットは、以下の手順によって検出される。まず、測定部４２は、他の基地局装置１０から報知した制御チャネルの強度を各タイムスロットについて測定し、所定のしきい値を超えた個数をタイムスロットごとに計算する。制御チャネル割当部は、測定部４２によって計算された結果、相対的に少ない個数となったタイムスロットに、当該無線装置に対する制御チャネルを割り当てる。
【００５８】
ところで、制御チャネルにかぎらず、データに関するチャネルにおいても、良好な通信が望まれる。しかしながら、基地局装置１０から遠い領域に所在する端末装置２０と通信する場合、距離による伝搬損失があるため、復調性能に影響がでる。ここで、上述したように、制御チャネルは、干渉の少ないタイムスロットに割り当てられ、すべての領域に所在する端末装置２０に通知される。したがって、基地局装置１０から遠い領域、たとえば、第１基地局装置１０ａにおける第１領域Ａ１に所在する端末装置２０が属するグループは、制御チャネルが割り当てられたタイムスロットと同一のタイムスロットに割り当てればよい。なお、「同一のタイムスロット」とは、タイムスロットが属するフレームと異なるフレームであって、かつ、制御チャネルが割り当てられたタイムスロットとフレーム内での相対的なタイミングが対応したタイムスロットを示す。
【００５９】
具体的には、図５の電力範囲欄３２０に示されるうち、最も低い信号強度の範囲に対応するグループであるグループＡにつき、対応するスロット欄３３０を特定タイムスロットとする。たとえば、特定タイムスロットが２である場合、グループＡに対応するスロット欄３３０は、２と設定される。設定は、制御チャネル割当部が、メモリ５０に対して行なうことによって実施される。このように割り当てることによって、受信性能をより向上できる。
【００６０】
図１２は、図１０の基地局装置にかかる動作例を示すフローチャートである。まず、基地局装置１０は、他の基地局装置１０に対して報知された制御チャネルの受信電力を測定する（Ｓ７０）。ここで、測定した受信電力が所定のしきい値より大きい場合（Ｓ７２のＹ）をカウントする（Ｓ７４）。カウントは、測定された制御チャネルが割り当てられていたタイムスロットごとに実行される。一方、測定した受信電力が所定のしきい値より小さい場合（Ｓ７２のＮ）、Ｓ７０の処理に戻る。また、測定が終了していない場合（Ｓ７６のＮ）も、Ｓ７０の処理に戻る。
【００６１】
測定が終了した場合（Ｓ７６のＹ）、カウントされた個数が最も少ないタイムスロットを選択し、そのタイムスロットを制御チャネルに割り当てる（Ｓ７８）。さらに、制御チャネルを割り当てたタイムスロットに、最も低い受信電力を含む範囲に対応するグループが割り当てられるように、図５に図示する割当テーブル３００を設定する（Ｓ８０）。
【００６２】
本変形例によれば、制御チャネルが割り当てられ、他の無線装置からの信号の強度が低いタイムスロットと同様のタイムスロットを端末装置に割り当てるため、受信性能の劣化を低減できる。当該無線装置における特定タイムスロットを他の無線装置において設定された特定タイムスロットと異なるように設定することによって、それぞれの無線装置におけるセルエッジ近傍の端末装置は、異なるタイムスロットを割り当てることができるため、互いの干渉による受信性能の劣化を低減できる。当該無線装置における相対的に低い強度を含むグループ割り当てるタイムスロットを、他の無線装置において制御チャネルが割り当てられた強度の低いグループに割り当てられるタイムスロットと異なるように設定することによって、それぞれの無線装置におけるセルエッジ近傍の端末装置は、異なるタイムスロットを割り当てることができるため、互いの干渉による受信性能の劣化を低減できる。
【００６３】
以上、本発明について実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００６４】
本発明の実施形態および変形例において、通信システム１００は、ＯＦＤＭＡとＴＤＭＡが適用されるとして説明したが、これにかぎらず、通信システム１００は、少なくともＴＤＭＡが適用されていればよい。たとえば、ＴＤＭＡとＣＤＭＡ（Ｃｏｄｅ  Ｄｉｖｉｓｉｏｎ  Ｍｕｌｔｉｐｌｅ  Ａｃｃｅｓｓ）が適用されてもよく、また、ＴＤＭＡとＳＤＭＡ（Ｓｐａｃｅ  Ｄｉｖｉｓｉｏｎ  Ｍｕｌｔｉｐｌｅ  Ａｃｃｅｓｓ）が適用されてもよい。また、上り通信について適用する場合について説明した。しかしながらこれにかぎらず、下り通信においても、変形例を適用できる。この場合、基地局装置１０は、下り通信における送信電力制御の量も考慮して、端末装置２０の信号強度を取得し、取得した信号強度が図５に示す電力範囲欄３２０のいずれの範囲に属するかを判定すればよい。
【００６５】
また、変形例において、基地局装置１０は、通信可能領域が隣接する他の基地局装置１０との関係において、互いに隣接する領域に所在する端末装置２０に割り当てるタイムスロットをそれぞれ異なるように設定するとして説明したが、これにかぎらず、基地局装置１０は、隣接していない他の基地局装置１０との関係において、互いのセルエッジに所在する端末装置２０に割り当てるタイムスロットをそれぞれ異なるように設定してもよい。基地局装置１０は、隣接していない他の基地局装置１０の通信可能領域のうち、外側の領域に所在する端末装置２０からの信号により影響を受けるため、タイムスロットを異なるように設定することによって、より受信性能を向上できることとなる。
【図面の簡単な説明】
【００６６】
【図１】本発明の実施形態に係る通信システムの構成例を示す図である。
【図２】図１の通信システムにおけるサブキャリアブロックの割当例を示す図である。
【図３】図３（ａ）〜（ｅ）は、図１の通信システムにおけるタイムスロットの割当例を示す図である。
【図４】図１の基地局装置の構成例を示す図である。
【図５】図４のメモリに記憶される割当テーブルの構成例を示す図である。
【図６】図６（ａ）〜（ｂ）は、図４のチャネル割当部の第１、第２の割当例を示す図である。
【図７】図４のチャネル割当部の第３の割当例を示す図である。
【図８】図４のチャネル割当部の構成例を示す図である。
【図９（ａ）】図４のチャネル割当部の動作例を示すフローチャートである。
【図９（ｂ）】図４のチャネル割当部の動作例を示すフローチャートである。
【図１０】本発明の実施形態の変形例にかかる通信システムの通信領域を模式的に示す図である。
【図１１】図１１（ａ）〜（ｂ）は、図１０にかかる通信システムにおけるタイムスロットの割当例を示す図である。
【図１２】図１０の基地局装置にかかる動作例を示すフローチャートである。
【符号の説明】
【００６７】
１０  基地局装置、  ２０  端末装置、  ３０  受信部、  ３２  ベースバンド処理部、  ３４  送信部、  ４０  チャネル割当部、  ４２  測定部、  ４４  スロット割当部、  ４６  サブチャネル割当部、  ５０  メモリ、  １００  通信システム、  ２００  サブキャリアブロック、  ２１０  周波数帯、  ３００  割当テーブル、  ３１０  グループ欄、  ３２０  電力範囲欄、  ３３０  スロット欄。
【図１】
2008060743.tif 000003
【図２】
2008060743.tif 000004
【図３】
2008060743.tif 000005
【図４】
2008060743.tif 000006
【図５】
2008060743.tif 000007
【図６】
2008060743.tif 000008
【図７】
2008060743.tif 000009
【図８】
2008060743.tif 000010
【図９（ａ）】
2008060743.tif 000011
【図９（ｂ）】
2008060743.tif 000012
【図１０】
2008060743.tif 000013
【図１１】
2008060743.tif 000014
【図１２】
2008060743.tif 000015